(57)【要約】      （修正有）【課題】簡易な構成で製造コスト及びランニングコストを低減でき、施設や病院だけでなく家庭向けとしても利用でき、清潔に作業を行うことができる介護用シャワー浴槽を提供する。【解決手段】本発明の介護用シャワー浴槽は、シート状に形成された湯受け部材と、全体が舟形に形成され、湯受け部材を収納する収納部を備えた床部材と、床部材の外周部上に取り付けられた外枠部材とを有し、湯受け部材の長手方向の両端部には、湯受け槽に連通する第１の排水ノズル及び第２の排水ノズルがそれぞれ設けられ、床部材の長手方向の両端部には、第１の排水ノズルが嵌入される第３の排水ノズル及び前記第２の排水ノズルが嵌入される第４の排水ノズルがそれぞれ設けられている。【選択図】図１
2005137674.tif 000002
【特許請求の範囲】
【請求項１】
凹状に形成された湯受け槽を備えた湯受け部材と、
底面が中央に向かって下り勾配に傾斜して形成され、前記湯受け部材を収納する収納部を備えた床部材と
を有することを特徴とする介護用シャワー浴槽。
【請求項２】
前記床部材の外周部上に外枠部材が取り付けられていることを特徴とする請求項１に記載の介護用シャワー浴槽。
【請求項３】
前記湯受け部材は、折り曲げ可能な材料で作られていることを特徴とする請求項１又は２に記載の介護用シャワー浴槽。
【請求項４】
前記湯受け部材及び床部材は、長手方向に延びて形成され、
前記湯受け部材の長手方向の両端部には、前記湯受け槽に連通する第１の排水ノズル及び第２の排水ノズルがそれぞれ設けられ、前記床部材の長手方向の両端部には、前記第１の排水ノズルが嵌入される第３の排水ノズル及び前記第２の排水ノズルが嵌入される第４の排水ノズルがそれぞれ設けられていることを特徴とする請求項１乃至３のいずれか１つの項に記載の介護用シャワー浴槽。
【請求項５】
前記第１、第２、第３及び第４の排水ノズルの先端部には逆流防止用のカップリングが取り付けられていることを特徴とする請求項１乃至４のいずれか１つの項に記載の介護用シャワー浴槽。
【発明の詳細な説明】
【技術分野】
【０００１】
本発明は、寝たきり者、高齢者、身体障害者等の被介護者の体や髪をシャワーで洗浄するために用いられる介護用シャワー浴槽に関し、特に、簡易な構成の介護用シャワー浴槽に関する。
【背景技術】
【０００２】
近年における高齢化社会に伴い、介護を必要とする寝たきり者、高齢者、身体障害者等の被介護者の数は急速に増加している。通常、被介護者は、体を動かすことが不自由なため、自ら入浴したり、シャワーで体や髪を洗浄することは非常に困難である。
【０００３】
そこで、介護支援サービスの一つとして、訪問入浴サービスが利用されている。この訪問入浴サービスは、介護ヘルパーが被介護者の自宅まで入浴車で訪問し、部屋の中へバスタブを設置し、被介護者の体や髪を洗浄するサービスである（以下、従来例１という）。
【０００４】
また、被介護者の入浴やシャワーによる洗浄を支援するための種々の装置が従来から提案されている。例えば、ベット上でシャワー浴とスチーム温浴を行うことができるカプセル型のシャワー洗浄装置が東陶機器株式会社等により製造され販売されている（以下、従来例２という）。
【０００５】
さらに、特開２０００−２１０３６２号公報には、簡易移動により、血圧の変化を少なくできる浴槽付き便器水槽が提案されている（以下、この技術を従来例３という）。
【０００６】
【特許文献１】特開２０００−２１０３６２号公報
【発明の開示】
【発明が解決しようとする課題】
【０００７】
従来例１では、設備の運搬、設置、操作等のために時間や労力がかかり、また、多人数の介護ヘルパーによって作業が行われ、人件費がかかるため、サービス料金が非常に高くなる。その結果、利用者の経済的負担が重くなり、頻繁に利用することができないという課題がある。
【０００８】
従来例２では、大変高価で大掛かりな装置であるため、主に老人ホーム等の施設や病院によって利用され、家庭向けに利用されることはまれであるという課題がある。
【０００９】
従来例３では、浴槽に溜まった水（シャワー水や入浴水）と被介護者から出される便や尿とを同一の排出穴から排出するので、不潔になりやすいという課題がある。
【００１０】
本発明は、上記課題を解決するためになされたものであり、簡易な構成で製造コスト及びランニングコストを低減でき、施設や病院だけでなく家庭向けとしても利用でき、清潔に作業を行うことができる介護用シャワー浴槽を提供することを目的とする。
【課題を解決するための手段】
【００１１】
本発明の介護用シャワー浴槽は、凹状に形成された湯受け槽を備えた湯受け部材と、底面が中央に向かって下り勾配に傾斜して形成され、前記湯受け部材を収納する収納部を備えた床部材とを有することを特徴とするものである。
【００１２】
前記床部材の外周部上に外枠部材が取り付けられていてもよい。
【００１３】
前記湯受け部材は、折り曲げ可能な材料で作られていてもよい。
【００１４】
前記湯受け部材及び床部材は、長手方向に延びて形成され、前記湯受け部材の長手方向の両端部には、前記湯受け槽に連通する第１の排水ノズル及び第２の排水ノズルがそれぞれ設けられ、前記床部材の長手方向の両端部には、前記第１の排水ノズルが嵌入される第３の排水ノズル及び前記第２の排水ノズルが嵌入される第４の排水ノズルがそれぞれ設けられていてもよい。
【００１５】
前記第１、第２、第３及び第４の排水ノズルの先端部には逆流防止用のカップリングが取り付けられていてもよい。
【発明の効果】
【００１６】
本発明の介護用シャワー浴槽によれば、簡易な構成で簡単に組み立てできるので、運搬、設置、操作等に時間や労力がかかることはなく、少人数の介護ヘルパーによって作業を行うことができ、人件費がかからず、訪問入浴サービスの料金を低減できる。その結果、利用者の経済的負担が軽くなり、頻繁に利用することが可能となる。
【００１７】
また、本発明の介護用シャワー浴槽は、安価で製造できるため、施設や病院だけでなく家庭向けとして利用できる。
【００１８】
また、床部材の底面が中央に向かって下り勾配に傾斜して形成されており、中央を支点として上下に回動することにより、湯受け槽に溜まった水と被介護者から出される便や尿とをそれぞれ別個の排水ノズルから排水できるので、湯受け槽内を清潔に保つことができる。
【００１９】
また、シャワー水で被介護者を洗浄するので、使用する湯量を少なくでき、ランニングコストを低減できる。
【００２０】
また、シャワー水を低い位置から流出することにより、湯気の発生を防止でき、室内の汚れを低減できる。
【００２１】
さらに、被介護者をベットから全く移動させることなく、横向きに寝返るだけで、本発明の介護用シャワー浴槽の設置が可能となるので、被介護者の負担を著しく低減できるとともに、介護者にとっても作業時間の短縮や作業労力を著しく低減できる。
【発明を実施するための最良の形態】
【００２２】
以下、本発明の実施例について図面を参照して説明する。図１は、本発明の実施例に係る介護用シャワー浴槽を示す側面図である。図２は湯受け部材を示す斜視図、図３は床部材を示す斜視図、図４は図３のａ−ａ線断面図である。
【００２３】
図１乃至図４に示すように、本発明の実施例に係る介護用シャワー浴槽は、シート状に形成された湯受け部材１（図２参照）と、全体が舟形に形成され、湯受け部材１を収納する収納部２ａを備えた床部材（図３参照）２と、床部材２の外周部上に取り付けられた外枠部材３とを有する。
【００２４】
図２に示すように、湯受け部材１は長手方向に延びて形成され、シート状の可撓性のある材料、例えば軽合金、ポリエチレン、耐衝撃スチレン樹脂等で作られている。湯受け部材１の中央部には、洗浄しようとする被介護者が入浴するために凹状に形成された湯受け槽１ａを備えている。
【００２５】
また、湯受け槽１ａの長手方向の両端下部には、湯受け槽１ａに連通する第１の排水ノズル４及び第２の排水ノズル５がそれぞれ設けられている。第１の排水ノズル４は、被介護者の体や頭髪を洗浄した際に排水するために用いられ、第２の排水ノズル５は、被介護者が失禁した際に排水するために用いられる。第１の排水ノズル４及び第２の排水ノズル５は、例えばゴム等のような可撓性のある材料で作られている。
【００２６】
さらに、湯受け部材１の周辺部は、Ｕ線上で矢印方向に内折りし、Ｓ線上で矢印方向に外折りするために平坦状に形成されている。
【００２７】
図３に示すように、床部材２は長手方向に延びて形成され、例えばアルミニウム、メラミン樹脂等のように軽量で剛性のある材料で作られている。また、床部材２の底面は、中央を支点として上下にローリング（回動）できるように中央に向かって下り勾配に傾斜して形成されている（図１参照）。傾斜角度θは、８°〜１０°程度が好ましい。
【００２８】
また、床部材２の両側端部の４箇所にはそれぞれ係止用の突起部６が設けられている。
【００２９】
図３に示すように、床部材２の長手方向の両端部には、収納部２ａに連通され湯受け部材１の第１の排水ノズル４が嵌入される第３の排水ノズル７及び第２の排水ノズル５が嵌入される第４の排水ノズル８がそれぞれ設けられている。
【００３０】
第３の排水ノズル７及び第４の排水ノズル８の先端部は、それぞれ第１の排水ホース９及び第２の排水ホース１０を介してポンプ装置１１に連結されている（図１参照）。
【００３１】
なお、床部材２の第３の排水ノズル７及び第４の排水ノズル８内に湯受け部材１の第１の排水ノズル４及び第２の排水ノズル５を嵌入した場合、床部材２を中央を支点として上下にローリングした際に、逆流した水が湯受け部材１の湯受け槽１ａに戻らず、床部材２と湯受け部材１との隙間に流れ込むおそれがある。
【００３２】
そこで、このような逆流を防止するため、例えば、図５（Ａ）に示すように、第１〜第４の排水ノズル４，５、７、８の先端部に中空の雄型カップリング１２を取り付け、中空の雌型カップリング１３内に雄型カップリング１２を挿入して、図５（Ｂ）に示す着脱用止め金具１４を用いて連結してもよい。
【００３３】
図５（Ａ）に示すように、雄型カップリング１２は、第３及び第４の排水ノズル７，８の先端部に螺着されている。また、第１及び第２の排水ノズル４、５の先端部４ａ、５ａを外側に折り曲げて雄型カップリング１２の先端周辺部に係止している。
【００３４】
また、雌型カップリング１３の外周には、接続すべき排水ホース９，１０を係止するためのホース止め部１３ａが形成されている。なお、図５（Ａ）中、１５は、防水用のＯリングである。
【００３５】
着脱用止め金具１４は、図５（Ｂ）に示すように、全体が略Ｃ字状に形成され、雌型カップリング１３の外周部に形成された段差部１３ｂに接着される接着部１４ａと、接着部１４ａの中央部から外側に延びて形成された平板部１４ｂと、平板部１４ｂの先端に形成され、雄型カップリング１２の基端周辺部に係止される係止部１４ｃと、平板部上に設けられた引出用つまみ部１４ｄとを有する。
【００３６】
図６は外枠部材３を示す平面図である。外枠部材３は、シャワー水で被介護者を洗浄している際に水が外部に飛び散るのを防止するために用いられ、例えば軽合金、木材、各種樹脂等の材料で作られている。図６に示すように、外枠部材３は、床部材２の長手方向の対向する両外周部上に取り付けられる第１の外枠部材３ａ及び第２の外枠部材３ｂと、床部材２の湾曲した対向する両外周上に取り付けられる第３の外枠部材３ｃ及び第４の外枠部材３ｄとからなる。各外枠部材３ａ〜３ｄの基端部は、床部材２の外周部に嵌合されるように断面略コ字状に形成されている（図４参照）。
【００３７】
第１の外枠部材３ａ及び第２の外枠部材３ｂの両端部にはそれぞれ嵌合穴１６が形成され、第３の外枠部材３ｃ及び第４の外枠部材３ｄの両端部には嵌合穴１６に嵌合されるそれぞれ突出部１７が形成されている。
【００３８】
また、第３の外枠部材３ｃ及び第４の外枠部材３ｄには、床部材２に設けられた突起部６に係止するための係止部材１８が支点１９を中心に回動可能に取り付けられている（図１参照）。
【００３９】
次に、本発明の実施例に係る介護用シャワー浴槽を用いた被介護者の洗浄について説明する。
【００４０】
まず、湯受け部材１の周辺部のうちＵ線（図２参照）を軸として内折りし、次いで、他方の辺をＳ線を軸として外折りしたものを床部材２の収納部２ａ内に収納する。
【００４１】
次いで、図７に示すように、被介護者Ｈが寝ているベットＢ上で床部材２を垂直状態に立てて、横向きに寝返った被介護者Ｈに沿えて、被介護者Ｈを湯受け部材１の湯受け槽１ａ内に入れた後、床部材２を水平状態に移動させる。
【００４２】
次いで、床部材２の外周部上に外枠部材３を取り付ける。その際、第３の外枠部材３ｃ及び第４の外枠部材３ｄの係止部材１８を回動させて、床部材２に設けられた突起部６に係止する。また、第１の外枠部材３ａ及び第２の外枠部材３ｂの両端部に形成された嵌合穴１６に第３の外枠部材３ｃ及び第４の外枠部材３ｄの両端部に形成された突出部１７を嵌合する。
【００４３】
次いで、図８（Ａ）に示すように、床部材２の底面の頭側及び足側にそれぞれ第１の保持枕２０及び第２の保持枕２１を設置して上下のバランスを保つ。この状態で、被介護者をシャワー水で素洗いする。その際、排水は行わず、湯受け槽１ａ内の湯溜めをする。
【００４４】
次いで、図８（Ｂ）に示すように、被介護者の頭側に設置されている第１の保持枕２０を第２の保持枕２１上に載せることにより、床部材２を被介護者の頭側に向かって下り勾配に傾斜させた状態にする。この状態で、シャワー水により被介護者の体を仕上げ洗浄するとともに、頭髪を洗う。その際、ポンプ装置１１を作動させて、第１の排水ノズル４及び第３の排水ノズル７から第１の排水ホース９を介して排水が行われる。
【００４５】
被介護者が失禁した場合には、図８（Ｃ）に示すように、被介護者の足側に設置されている第２の保持枕２１を第１の保持枕２０上に載せることにより、床部材２を被介護者の足側に向かって下り勾配に傾斜させた状態にする。この状態で、シャワー水により汚水を足側に流すとともに、ポンプ装置１１を作動させて、第２の排水ノズル５及び第４の排水ノズル８から第２の排水ホース１０を介して排水が行われる。
【００４６】
なお、第１の保持枕２０及び第２の保持枕２１は、例えば軽量な硬質発泡材で作られている。
【００４７】
本発明の実施例に係る介護用シャワー浴槽によれば、簡易な構成で簡単に組み立てできるので、運搬、設置、操作等に時間や労力がかかることはなく、少人数の介護ヘルパーによって作業を行うことができ、人件費がかからず、訪問入浴サービスの料金を低減できる。その結果、利用者の経済的負担が軽くなり、頻繁に利用することが可能となる。
【００４８】
また、本発明の実施例に係る介護用シャワー浴槽は、安価で製造できるため、施設や病院だけでなく家庭向けとしても利用できる。
【００４９】
また、床部材２の底面が中央に向かって下り勾配に傾斜して形成されており、中央を支点として上下に回動することにより、湯受け槽１ａに溜まった水と被介護者から出される便や尿とをそれぞれ別個の排水ノズルから排水できるので、湯受け槽１ａ内を清潔に保つことができる。
【００５０】
また、シャワー水で被介護者を洗浄するので、使用する湯量を少なくでき、ランニングコストを低減できる。
【００５１】
また、シャワー水を低い位置から流出することにより、湯気の発生を防止でき、室内の汚れを低減できる。
【００５２】
さらに、被介護者をベットから全く移動させることなく、横向きに寝返るだけで、本発明の介護用シャワー浴槽の設置が可能となるので、被介護者の負担を著しく低減できるとともに、介護者にとっても作業時間の短縮や作業労力を著しく低減できる。
【００５３】
本発明は、上記実施の形態に限定されることはなく、特許請求の範囲に記載された技術的事項の範囲内において、種々の変更が可能である。例えば、本発明の実施例に係る介護用シャワー浴槽の構成要素となる各部材について開示されている形状及び材料は例示であり、これに限定されるものではない。
【図面の簡単な説明】
【００５４】
【図１】本発明の実施例に係る介護用シャワー浴槽を示す側面図である。
【００５５】
【図２】湯受け部材を示す斜視図である。
【００５６】
【図３】床部材を示す斜視図である。
【００５７】
【図４】図３のａ−ａ線断面図である。
【００５８】
【図５】（Ａ）は雄型カップリング及び雌型カップリングを示す側断面図、（Ｂ）は着脱用止め金具を示す斜視図である。
【００５９】
【図６】外枠部材を示す平面図である。
【００６０】
【図７】本発明の実施例に係る介護用シャワー浴槽に被介護者を着床させている状態を示す斜視図である。
【００６１】
【図８】（Ａ）〜（Ｃ）は、本発明の実施例に係る介護用シャワー浴槽を用いて被介護者を洗浄する際における床部材の動作を概略的に説明するための説明図である。
【符号の説明】
【００６２】
１：湯受け部材
１ａ：湯受け槽
２：床部材
２ａ：収納部
３：外枠部材
４：第１の排水ノズル
５：第２の排水ノズル
６：突起部
７：第３の排水ノズル
８：第４の排水ノズル
９：第１の排水ホース
１０：第２の排水ホース
１１：ポンプ装置
１２：雄型カップリング
１３：雌型カップリング
１４：着脱用止め金具
１５：防水用のＯリング
１６：嵌合穴
１７：突出部
１８：係止部材
１９：支点
２０：第１の保持枕
２１：第２の保持枕
【図１】
2005137674.tif 000003
【図２】
2005137674.tif 000004
【図３】
2005137674.tif 000005
【図４】
2005137674.tif 000006
【図５】
2005137674.tif 000007
【図６】
2005137674.tif 000008
【図７】
2005137674.tif 000009
【図８】
2005137674.tif 000010